(57)【要約】【課題】より信頼性の高い電子メールの内容証明を可能とする電子メール配信システムを提供する。【解決手段】電子メール配信システム１では、送信側端末３０から受け取った電子メールを受信側端末４０に送信する際に、この電子メールの複製を生成して格納する。そして、受信側端末４０から送信完了情報を受け取ると、この送信完了情報を電子メールの複製に関連付けてアーカイブ化すると共に、このアーカイブファイルに対し、送信完了情報を受信した時刻を示す受信時刻情報を付与する。したがって、電子メール配信システム１では、実際に電子メールが受信側端末４０に送信された時刻と、受信時刻情報が電子メールに付与された時刻とのタイムラグを小さくすることが可能となるので、より信頼性の高い内容証明を行うことができる。【選択図】図１
2007300182.tif 000002
【特許請求の範囲】
【請求項１】
送信側の端末から受信した電子メールを受信側の端末に送信する電子メール送信手段と、
前記電子メール送信手段によって前記受信側の端末に送信される前記電子メールの複製を生成する電子メール複製手段と、
前記電子メール複製手段によって複製された前記電子メールの複製を格納する格納手段と、
前記電子メールの送信が完了した旨を示す送信完了情報を前記受信側の端末から受信する送信完了情報受信手段と、
前記格納手段に格納されている前記電子メールの複製に、前記送信完了情報受信手段が前記送信完了情報を受信したときの時刻を示す受信時刻情報を付与する時刻情報付与手段とを備えた電子メール配信システム。
【請求項２】
前記電子メールの開封がなされた旨を示す開封情報を前記受信側の端末から受信する開封情報受信手段を更に備え、
前記時刻情報付与手段は、前記格納手段に格納されている前記電子メールの複製に、前記開封情報受信手段が前記開封情報を受信したときの時刻を示す開封時刻情報を更に付与する請求項１記載の電子メール配信システム。
【請求項３】
前記時刻情報付与手段は、前記電子メール送信手段が前記電子メールを前記受信側の端末に送信してから一定の時間内に前記送信完了情報受信手段が前記送信完了情報を受信しなかった場合には、前記格納手段に格納されている前記電子メールの複製に、前記一定の時間が経過したときの時刻を示す経過時刻情報を付与する請求項１又は２記載の電子メール配信システム。
【請求項４】
前記電子メールの文字コードを前記受信側の端末用の文字コードに変換する文字コード変換手段を更に備え、
前記電子メール複製手段は、文字コード変換前の電子メールに関連付けて文字コード変換後の電子メールの複製を生成する請求項１〜３のいずれか一項記載の電子メール配信システム。
【発明の詳細な説明】
【技術分野】
【０００１】
本発明は、配信される電子メールの内容証明を行う機能を有する電子メール配信システムに関する。
【背景技術】
【０００２】
この種の分野に関連する技術として、例えば特許文献１に記載のタイムスタンプメールサーバシステムがある。この従来のタイムスタンプメールサーバシステムは、時刻情報を付与するタイムスタンプサーバを備えている。タイムスタンプサーバは、クライアントＰＣから電子メールを受信した際の受信時刻を当該電子メールに付与したデジタル証明書を発行する。これにより、メールサーバから受信側の端末に送信される電子メールに対し、改ざんの有無等の検証が可能となっている。
【特許文献１】特開２００４−１０４５９６号公報
【発明の開示】
【発明が解決しようとする課題】
【０００３】
ところで、例えば電子商取引などの分野においては、電子メールを用いて契約書のような重要文書がやり取りされる場合が想定される。これに対し、上述した従来のタイムスタンプサーバシステムでは、当該システムが受信側の端末から電子メールを受け取った時点で時刻情報を付与しているので、実際に電子メールが受信側の端末に送信された時刻と時刻情報が電子メールに付与された時刻とではタイムラグが生じている。そこで、一般郵便における内容証明のように、受信側の端末に送信した電子メールの内容に対して、より信頼性の高い内容証明を行うことができる技術が望まれている。
【０００４】
本発明は、上記課題の解決のためになされたものであり、より信頼性の高い電子メールの内容証明を可能とする電子メール配信システムを提供することを目的とする。
【課題を解決するための手段】
【０００５】
上記課題の解決のため、本発明に係る電子メール配信システムは、送信側の端末から受信した電子メールを受信側の端末に送信する電子メール送信手段と、電子メール送信手段によって受信側の端末に送信される電子メールの複製を生成する電子メール複製手段と、電子メール複製手段によって複製された電子メールの複製を格納する格納手段と、電子メールの送信が完了した旨を示す送信完了情報を受信側の端末から受信する送信完了情報受信手段と、格納手段に格納されている前記電子メールの複製に、送信完了情報受信手段が送信完了情報を受信したときの時刻を示す受信時刻情報を付与する時刻情報付与手段とを備えたことを特徴としている。
【０００６】
この電子メール配信システムでは、送信側の端末から受け取った電子メールを受信側の端末に送信する際に、この電子メールの複製を生成して格納する。そして、受信側の端末から送信完了情報を受け取った時刻を電子メールの複製に付与する。したがって、この電子メール配信システムでは、実際に電子メールが受信側の端末に送信された時刻と、時刻情報が電子メールに付与された時刻とのタイムラグを小さくすることが可能となるので、より信頼性の高い内容証明を行うことができる。このことは、例えば電子商取引などにおいて、契約書のような重要文書をやり取りする際の安全性の向上を実現する。
【０００７】
また、電子メールの開封がなされた旨を示す開封情報を受信側の端末から受信する開封情報受信手段を更に備え、時刻情報付与手段は、格納手段に格納されている電子メールの複製に、開封情報受信手段が開封情報を受信したときの時刻を示す開封時刻情報を更に付与することが好ましい。この場合、受信側の端末に電子メールが送信された時点に加えて、受信側の端末で電子メールが開封された時点での電子メールの内容を検証できるので、内容証明の信頼性を一層向上させることができる。
【０００８】
また、時刻情報付与手段は、電子メール送信手段が電子メールを受信側の端末に送信してから一定の時間内に送信完了情報受信手段が送信完了情報を受信しなかった場合には、格納手段に格納されている電子メールの複製に、一定の時間が経過したときの時刻を示す経過時刻情報を付与することが好ましい。こうすると、電子メールが受信側端末に送信されていない場合であっても、この未送信の電子メールの内容を検証することができる。
【０００９】
また、電子メールの文字コードを受信側の端末用の文字コードに変換する文字コード変換手段を更に備え、電子メール複製手段は、文字コード変換前の電子メールに関連付けて文字コード変換後の電子メールの複製を生成することが好ましい。例えば送信側の端末がパーソナルコンピュータであり、受信側の端末が携帯電話機であるような場合、文字コードの変換が必要になる場合がある。このような場合であっても、文字コードの変換前後の電子メールを関連付けておくことで、信頼性の高い内容証明を行うことができる。
【発明の効果】
【００１０】
本発明に係る電子メール配信システムによれば、より信頼性の高い電子メールの内容証明を行うことが可能となる。これにより、例えば電子商取引などにおいて、契約書のような重要文書をやり取りする際の安全性を向上させることができる。
【発明を実施するための最良の形態】
【００１１】
以下、図面を参照しながら、本発明に係る電子メール配信システムの好適な実施形態について詳細に説明する。
【００１２】
図１は、本発明に係る電子メール配信システムの一実施形態を示す図である。図１に示すように、電子メール配信システム１は、送信側端末３０と受信側端末４０との間でやり取りされる電子メールの配信を仲介するメールサーバ１０と、この電子メールに対して各種の時刻情報を付与するタイムスタンプ付与サーバ２０とを備えている。なお、本実施形態では、送信側端末３０がパーソナルコンピュータであり、受信側端末４０が携帯電話機である場合を例示する。
【００１３】
メールサーバ１０とタイムスタンプ付与サーバ２０とは、専用の回線によって相互に情報通信可能に接続されている。また、メールサーバ１０及びタイムスタンプ付与サーバ２０のそれぞれは、インターネットによって送信側端末３０と相互に情報通信可能に接続されている。さらに、メールサーバ１０と受信側端末４０とは、携帯電話通信網によって受信側端末４０と相互に通信可能に接続されている。このような、電子メール配信システム１は、例えば電子商取引において、契約書のような重要文書等を電子化して取引相手に送信するシステムとして構成されている。
【００１４】
まず、メールサーバ１０について説明する。メールサーバ１０は、例えば電子商取引の事業者によって管理されるサーバであり、物理的には、図２に示すように、ＣＰＵ２１、ＲＡＭ２２及びＲＯＭ２３等の記憶装置、キーボード２４やマウス等の入力装置、ディスプレイ２５等の出力装置２５、ネットワークカード等の通信モジュール２６、ハードディスク等の補助記憶装置２７を含むコンピュータシステムである。
【００１５】
後述するメールサーバ１０の各機能は、同図に示すＣＰＵ２１、ＲＡＭ２２等のハードウェア上に所定のコンピュータソフトウェアを読み込ませることにより、ＣＰＵ２１の制御下で通信モジュール２６、キーボード２４、及びディスプレイ２５を動作させ、ＲＡＭ２２や補助記憶装置２７におけるデータの読み出し及び書き込みを行うことで実現される。
【００１６】
メールサーバ１０は、機能的な構成要素として、電子メール受信部１０１と、文字コード変換部（文字コード変換手段）１０２と、電子メール複製部（電子メール複製手段）１０３と、電子メール送信部（電子メール送信手段）１０４と、送信完了情報取得部（送信完了情報受信手段）１０５と、開封情報取得部（開封情報受信手段）１０６を有している。
【００１７】
電子メール受信部１０１は、送信側端末３０から送信される電子メールを受信する部分である。電子メール受信部１０１は、受信した電子メールを文字コード変換部１０２に出力する。
【００１８】
文字コード変換部１０２は、電子メールの文字コードを受信側端末４０用の文字コードに変換する部分である。すなわち、文字コード変換部１０２は、電子メール受信部１０１から受け取った電子メールの文字コードを、絵文字や特殊文字に対応する携帯電話機用の文字コードに変換する。このとき、文字コード変換部１０２は、文字コード変換前の電子メールのメールＩＤを文字コード変換後の電子メールにも付与し、これらの電子メール同士を相互に関連付けする。文字コード変換部１０２は、文字コード変換後の電子メールを電子メール複製部１０３に出力する。
【００１９】
電子メール複製部１０３は、文字コード変換部１０２から受け取った文字コード変換後の電子メールを受け取り、この電子メールの複製を生成する部分である。電子メール複製部１０３は、電子メールの一方を電子メール送信部１０４に出力し、他方をタイムスタンプ付与サーバ２０に出力する。
【００２０】
電子メール送信部１０４は、電子メール複製部１０３から受け取った電子メールを受信側端末４０に送信する部分である。電子メール送信部１０４は、電子メールを受信側端末４０に送信したタイミングで、電子メールの送信を開始した旨を示す開始情報を送信完了情報取得部１０５に出力する。また、電子メール送信部１０４は、送信完了情報取得部１０５から送信完了情報及び送信未完了情報のいずれか一方を受け取るまで、所定の時間間隔で複数回にわたって電子メールを受信側端末４０に再送信する。
【００２１】
送信完了情報取得部１０５は、電子メールの送信が完了した旨を示す送信完了情報を受信側端末４０から受信する部分である。送信完了情報は、より具体的には、ＡＣＫ（Acknowledgement）と称される信号である。ＡＣＫは、電子メールのデータが誤りなく送信されたときに受信側端末４０から返信される肯定応答信号である。
【００２２】
送信完了情報取得部１０５は、電子メール送信部１０４から開始情報を受け取ると、送信完了情報の待ち受け状態に移行し、受け取った送信完了情報を電子メール送信部１０４及びタイムスタンプ付与サーバ２０に出力する。また、送信完了情報取得部１０５は、待ち受け状態に移行してから一定時間が経過しても受信側端末４０から送信完了情報を受信しなかった場合には、その旨を示す送信未完了情報を電子メール送信部１０４及びタイムスタンプ付与サーバ２０に出力する。
【００２３】
開封情報取得部１０６は、電子メールの開封がなされた旨を示す開封情報を受信側端末４０から受信する部分である。開封情報取得部１０６は、受け取った開封情報をタイムスタンプ付与サーバ２０に出力する。
【００２４】
次に、タイムスタンプ付与サーバ２０について説明する。タイムスタンプ付与サーバ２０は、例えばメールサーバ１０を管理する事業者とは別の第三者機関が管理するサーバであり、物理的には、図２に示したメールサーバ１０のハードウェア構成と同様に、ＣＰＵ、ＲＡＭ及びＲＯＭ等の記憶装置、キーボードやマウス等の入力装置、ディスプレイ等の出力装置、ネットワークカード等の通信モジュール、ハードディスク等の補助記憶装置を含むコンピュータシステムである。
【００２５】
タイムスタンプ付与サーバ２０の各機能は、ＣＰＵ、ＲＡＭ等のハードウェア上に所定のコンピュータソフトウェアを読み込ませることにより、ＣＰＵの制御下で通信モジュール、入力装置、及び出力装置を動作させ、ＲＡＭや補助記憶装置におけるデータの読み出し及び書き込みを行うことで実現される。
【００２６】
タイムスタンプ付与サーバ２０は、機能的な構成要素として、電子メール受信部２０１と、時刻情報付与部（時刻情報付与手段）２０２と、電子メール格納部（電子メール格納手段）２０３と、検証要求受信部２０４と、アーカイブ送信部２０５とを有している。
【００２７】
電子メール受信部２０１は、文字コード変換後の電子メールの複製をメールサーバ１０から受け取る部分である。電子メール受信部２０１は、受け取った電子メールの複製を電子メール格納部２０３に格納する。
【００２８】
時刻情報付与部２０２は、電子メール格納部２０３に格納されている電子メールの複製に各種の時刻情報を付与する部分である。この時刻情報付与部２０２は、例えばＵＴＣ（協定世界時：Coordinated Universal Time）に同調するセシウム原子時計からの時刻配信によって高精度に校正されるクロック（図示しない）を有している。時刻情報付与部２０２は、メールサーバ１０から送信完了情報を受け取った場合には、対応する電子メールの複製に送信完了情報を関連付けてアーカイブ化する。そして、時刻情報付与部２０２は、メールサーバから送信完了情報を受け取った時刻（すなわち、メールサーバ１０の送信完了情報取得部１０５が送信完了情報を受信したときの時刻）を示す受信時刻情報をアーカイブファイルに付与する。
【００２９】
また、時刻情報付与部２０２は、受信時刻情報の付与後にメールサーバ１０から開封情報を更に受け取った場合には、この開封情報を受け取った時刻（すなわち、メールサーバ１０の開封情報取得部１０６が開封情報を受信したときの時刻）を示す開封時刻情報をアーカイブファイルに更に付与する。一方、時刻情報付与部２０２は、メールサーバ１０から送信未完了情報を受け取った場合には、対応する電子メールの複製に送信完了情報を関連付けてアーカイブ化する。そして、時刻情報付与部２０２は、この送信未完了情報を受け取ったときの時刻を示す経過時刻情報をアーカイブファイルに付与する。
【００３０】
ここで、電子メール格納部２０３に格納されている情報の一例を図３に示す。図３に示す例では、電子メールのメールＩＤ「０００００００００１」に対応して、この電子メールに送信完了情報を関連付けたアーカイブファイル「Ｍａｉｌ１．ｍｓｇ」と、受信時刻情報「２００６．１．１／１２．００．００」と、開封時刻情報「２００６．１．１／１２．１０．１０」とが格納されている。また、別の電子メールのメールＩＤ「０００００００００２」に対応して、この電子メールに送信未完了情報を関連付けたアーカイブファイル「Ｍａｉｌ２．ｍｓｇ」と、経過時刻情報「２００６．１．４／１５．００．００」とが格納されている。
【００３１】
検証要求受信部２０４は、送信済みの電子メールの内容の検証を要求する検証要求情報を送信側端末３０から受信する部分である。検証要求受信部２０４は、受信した検証要求情報をアーカイブ送信部２０５に出力する。
【００３２】
アーカイブ送信部２０５は、電子メール格納部２０３に格納されているアーカイブファイルを送信側端末３０に送信する部分である。より具体的には、アーカイブ送信部２０５は、検証要求受信部２０４から検証要求情報を受け取ると、この検証要求情報によって特定されるメールＩＤに基づいて電子メール格納部２０３を参照する。そして、アーカイブ送信部２０５は、当該メールＩＤと一致するアーカイブファイルを電子メール格納部２０３から読み出した後、送信側端末３０に送信する。
【００３３】
送信側端末３０は、物理的には、ＣＰＵ、メモリ、通信インタフェイス、ハードディスクといった格納部、ディスプレイといった表示部等を備えたコンピュータシステムである。送信側端末３０は、ユーザによる所定の操作により、作成された電子メールをメールサーバ１０に向けて送信する。また、電子メールの送信後、ユーザによる所定の操作により、送信済みの電子メールの内容の検証を要求する検証要求情報をタイムスタンプ付与サーバ２０に送信する。なお、検証要求情報には、検証の対象とする電子メールのメールＩＤが含められている。
【００３４】
受信側端末４０は、例えばユーザが所有する携帯電話機であり、物理的には、ＣＰＵ、メモリといった記憶装置、プッシュボタンといった入力装置、ディスプレイといった表示装置等を有している。また、通話機能のほか、ＷＥＢページに接続して閲覧する機能や電子メール送信機能等を含む各種データ通信機能等を有している。受信側端末４０は、メールサーバ１０から電子メールを正常に受信すると、メールサーバ１０に対して送信完了情報（ＡＣＫ）を送信する。また、受信側端末４０は、ユーザがメールボックスを参照し、受信した電子メールを開封（ディスプレイに表示）した時点で、メールサーバ１０に開封情報を送信する。
【００３５】
続いて、上述した構成を有する電子メール配信システム１の動作について、図４及び図５に示すシーケンス図を参照しながら説明する。
【００３６】
まず、図４に示すように、送信側端末３０のユーザによる所定の操作により、送信側端末３０からメールサーバ１０に電子メールが送信される（ステップＳ０１）。メールサーバ１０は、受信した電子メールを携帯電話機用の文字コードに変換し（ステップＳ０２）、文字コード変換後の電子メールを受信側端末４０に送信する（ステップＳ０３）。このとき、メールサーバ１０は、受信側端末４０から送信完了情報を待ち受ける待ち受け状態に移行すると共に、受信側端末４０に送信した電子メールとは別に、この電子メールの複製を生成する（ステップＳ０４）。そして、メールサーバ１０は、電子メールの複製をタイムスタンプ付与サーバ２０に出力し（ステップＳ０５）、タイムスタンプ付与サーバ２０は、受信した電子メールの複製を電子メール格納部２０３に格納する（ステップＳ０６）。
【００３７】
メールサーバ１０から送信された電子メールが受信側端末４０で正常に受信されると（ステップＳ０７）、受信側端末４０からメールサーバ１０に送信完了情報が送信される（ステップＳ０８）。メールサーバ１０は、受信した送信完了情報を直ちにタイムスタンプ付与サーバ２０に出力し（ステップＳ０９）、タイムスタンプ付与サーバ２０は、対応する電子メールの複製に送信完了情報を関連付けてアーカイブ化し、このアーカイブファイルに受信時刻情報を付与する（ステップＳ１０）。
【００３８】
さらに、メールサーバから送信された電子メールが受信側端末４０で開封されると（ステップＳ１１）、受信側端末４０からメールサーバ１０に開封情報が送信される（ステップＳ１２）。メールサーバ１０は、受信した開封情報を直ちにタイムスタンプ付与サーバ２０に出力し（ステップＳ１３）、タイムスタンプ付与サーバ２０は、ステップＳ１０において受信時刻情報を付与したアーカイブファイルに開封時刻情報を更に付与する（ステップＳ１４）。
【００３９】
この後、ユーザの所定の操作により、送信側端末３０からタイムスタンプ付与サーバ２０に検証要求情報が送信されると（ステップＳ１５）、タイムスタンプ付与サーバ２０は、検証要求情報によって特定されるアーカイブファイルを電子メール格納部２０３から読み出して送信側端末３０に送信する（ステップＳ１６）。
【００４０】
一方、受信側端末４０が通信圏外に存在している場合などには、送信側端末３０から送信された電子メールが受信側端末４０に送信されない場合がある。この場合の電子メール配信システム１の動作を図５に示す。同図に示すように、電子メール配信システム１は、ステップＳ０１〜ステップＳ０６については、図４と同様に動作する。ステップＳ０３による受信側端末４０への電子メールの送信の後、受信側端末４０から送信完了情報の応答がない場合、メールサーバ１０は、所定の時間間隔で複数回にわたって電子メールを受信側端末４０に再送信する（ステップＳ２１）。
【００４１】
メールサーバ１０が送信完了情報の待ち受け状態に移行してから一定時間が経過しても受信側端末４０から送信完了情報を受信しなかった場合、メールサーバ１０からタイムスタンプ付与サーバ２０に送信未完了情報が出力される（ステップＳ２２）。そして、タイムスタンプ付与サーバ２０は、対応する電子メールの複製に送信未完了情報を関連付けてアーカイブ化し、このアーカイブファイルに経過時刻情報を付与する（ステップＳ２３）。
【００４２】
この後、ユーザの所定の操作により、送信側端末３０からタイムスタンプ付与サーバ２０に検証要求情報が送信されると（ステップＳ２４）、タイムスタンプ付与サーバ２０は、検証要求情報によって特定されるアーカイブファイルを電子メール格納部２０３から読み出して送信側端末３０に送信する（ステップＳ２５）。
【００４３】
以上説明したように、電子メール配信システム１では、送信側端末３０から受け取った電子メールを受信側端末４０に送信する際に、この電子メールの複製を生成して格納する。そして、受信側端末４０から送信完了情報を受け取ると、この送信完了情報を電子メールの複製に関連付けてアーカイブ化すると共に、このアーカイブファイルに対し、送信完了情報を受信した時刻を示す受信時刻情報を付与する。したがって、電子メール配信システム１では、実際に電子メールが受信側端末４０に送信された時刻と、受信時刻情報が電子メールに付与された時刻とのタイムラグを小さくすることが可能となるので、より信頼性の高い内容証明を行うことができる。このことは、例えば電子商取引などにおいて、契約書のような重要文書をやり取りする際の安全性の向上を実現する。
【００４４】
また、この電子メール配信システム１では、電子メールの開封がなされた旨を示す開封情報を受信側端末４０から受信した場合に、この開封情報を受信したときの時刻を示す開封時刻情報を上述したアーカイブファイルに更に付与する。これにより、受信側端末４０に電子メールが送信された時点に加えて、受信側端末４０で電子メールが開封された時点での電子メールの内容を検証することが可能となり、内容証明の信頼性を一層向上させることができる。
【００４５】
また、電子メール配信システム１では、電子メールを受信側端末４０に送信してから一定の時間内に送信完了情報を受信しなかった場合には、電子メールの複製に送信未完了情報を関連付けてアーカイブ化し、このアーカイブファイルに対し、一定の時間が経過したときの時刻を示す経過時刻情報を付与する。このため、電子メールが受信側端末４０に送信されていない場合であっても、この未送信の電子メールの内容を検証することができる。
【００４６】
さらには、この電子メール配信システム１では、文字コードの変換前後の電子メールがメールＩＤによって相互に関連付けられている。これにより、例えば送信側端末３０がパーソナルコンピュータであり、受信側端末４０が携帯電話機である場合のように、電子メールの文字コード変換が必要な場合でも、信頼性の高い内容証明を行うことができる。
【００４７】
本発明は、上記実施形態に限られるものではない。例えば文字コード変換部１０２が電子メールの文字コードを変換する際に、元の文字コードの電子メールをそのまま保存し、これをタイムスタンプ付与サーバ２０の電子メール格納部２０３に併せて格納するようにしてもよい。また、送信側端末３０と受信側端末４０とでやり取りされる電子メールは、署名付きの電子メールであってもよい。この場合、受信側端末４０に電子メールが送信された時点での署名の検証を併せて行うことが可能となり、電子メールの内容証明の信頼性を一層向上させることができる。
【図面の簡単な説明】
【００４８】
【図１】本発明の一実施形態に係る電子メール配信システムを示す図である。
【図２】メールサーバ及びタイムスタンプ付与サーバのハードウェア構成を示す図である。
【図３】電子メール格納部に格納される情報の一例を示す図である。
【図４】図１に示した電子メール配信システムの動作を示すシーケンス図である。
【図５】図１に示した電子メール配信システムの別の動作を示すシーケンス図である。
【符号の説明】
【００４９】
１…電子メール配信システム、３０…送信側端末、４０…受信側端末、１０２…文字コード変換部、１０３…電子メール複製部、１０４…電子メール送信部、１０５…送信完了情報取得部、１０６…開封情報取得部、２０２…時刻情報付与部、２０３…電子メール格納部。
【図１】
2007300182.tif 000003
【図２】
2007300182.tif 000004
【図３】
2007300182.tif 000005
【図４】
2007300182.tif 000006
【図５】
2007300182.tif 000007